(57)【特許請求の範囲】
【請求項１】
本体内の上部における前側左右と中央後部に設けられた加熱部と、前記本体の上面にプレート枠に囲まれたトッププレートと、を備えた加熱調理器において、
前記本体後部の吸気口と排気口を備えるプレート枠と前記加熱部の側方に配置された前記プレート枠との間が最短になる位置まで少なくとも設け、使用者が使用中に身体を本体の正面に被さる必要がなくみることができる前記トッププレートの後部左右のいずれか角部近傍であって、該トッププレートの全幅Ｗの約１／３以下の範囲の一方又は両方で、前記加熱部上に載置される鍋及び鍋の回転領域の及ばない領域に、
ガラス成分を備えた熱膨張を抑えた素材の特殊なインクを用いて印刷され、改行で空白部を少なくしガラス内に混入した不純物を目立たなくした印刷領域を設け、
調理に使用する鍋の重さや形状や、鍋以外の小物と可燃物，引火物，磁気の影響を受けやすいものに対する制限と、高温部分には触れないことの制約に関する使用方法や使用に関しての操作上の注意点を記載した
横に長く読んでいく必要がない縦長の注意表示部を設けたことを特徴とする加熱調理器。
【発明の詳細な説明】
【技術分野】
【０００１】
本発明は、誘導加熱を利用した加熱調理器に関する。
【背景技術】
【０００２】
加熱調理器として、本体内の上部における前側左右に加熱コイルの加熱部を、また本体内の上部における中央後部にラジエントヒータの加熱部を備え、本体の上面にプレート枠に囲まれたプレートを備えた誘導加熱調理器がある。
【０００３】
誘導加熱調理器は、主な加熱部が加熱コイルであり、これによって発生する磁束によりプレート上に載置した鍋等の調理器具である被加熱物に渦電流を発生させ、被加熱物を加熱するものである。他の加熱手段として中央後部の加熱部にラジェントヒータのような電熱ヒータを使用しているものもある。
【０００４】
この調理器は、ガス等の燃焼系の調理器に比べて被加熱物以外への放熱が少なく、熱効率も良好である。
【０００５】
しかし、一方で調理に使用する鍋の重さや形状等に制限を受ける場合があり、また、トッププレート上に鍋以外の小物、例えば可燃物や引火物、磁気の影響を受けやすいもの等は乗せてはいけないこと、使用に際して高温になった部分には触れないこと等の制約があるため、付属の取扱説明書等でその使用方法や使用に関しての注意事項を記載し、使用者に促している。
【０００６】
しかし、実際に使用者は調理の都度、取扱説明書を見ることはほとんどないため、例えば特許文献１に示すように、トッププレートの右後部又は左後部に操作上の注意点等を記載した注意表示部が設けることが行われている。
【０００７】
【特許文献１】特開２００４−２４７１８６号公報
【発明の開示】
【発明が解決しようとする課題】
【０００８】
しかしながら、上記の従来技術において、特許文献１に示すものは、注意表示部が横長に記載されているため、それを読み取ろうとすると身体を本体の正面に被さるようにしないと文字が見えにくく、また、文字数が多いと調理時に瞬時に読み取ることが難しく、利用しづらいものであった。
【０００９】
また深鍋、パスタポットや蒸篭（セイロ）等の深さのある鍋であると、鍋の上に被さる様にしても注意表示部を読み取ることは難しく、さらに両手鍋やフライパンの取手部によっては注意表示部が隠れてしまい、使用者はその鍋を動かすか又は回転させて読み取ることが必要となり、煩わしさを伴い本来の用を成さず、利用に際しては著しい不便を強要する問題があった。
【課題を解決するための手段】
【００１０】
本発明は上記の問題を解決するためになされたものであり、具体的には、請求項１に示すように、本体内の上部における前側左右と中央後部に設けられた加熱部と、前記本体の上面にプレート枠に囲まれたトッププレートと、を備えた加熱調理器において、
前記本体後部の吸気口と排気口を備えるプレート枠と前記加熱部の側方に配置された前記プレート枠との間が最短になる位置まで少なくとも設け、使用者が使用中に身体を本体の正面に被さる必要がなくみることができる前記トッププレートの後部左右のいずれか角部近傍であって、該トッププレートの全幅Ｗの約１／３以下の範囲の一方又は両方で、前記加熱部上に載置される鍋及び鍋の回転領域の及ばない領域に、
ガラス成分を備えた熱膨張を抑えた素材の特殊なインクを用いて印刷され、改行で空白部を少なくしガラス内に混入した不純物を目立たなくした印刷領域を設け、
調理に使用する鍋の重さや形状や、鍋以外の小物と可燃物，引火物，磁気の影響を受けやすいものに対する制限と、高温部分には触れないことの制約に関する使用方法や使用に関しての操作上の注意点を記載した
横に長く読んでいく必要がない縦長の注意表示部を設けたものである。
【発明の効果】
【００１１】
本発明によれば、上記のように構成したことにより、使用者が注意表示部を読み取る場合に身体を本体の正面に被さるようにする必要がなくなり、例え使用中であっても本体の左右側で簡単にみることができる。
【００１２】
また、注意表示部の文字が縦長であるため、目を上下するだけでよく、横長のものに比べて横に長く読んでいく必要がなくなり、非常に読みやすいものである。
【００１３】
さらに、鍋やフライパン等の取手部を有する鍋であっても、使用者は鍋を動かすことなく、また調理を煩わせることなく、簡単に注意表示部を見ることができる効果がある。
【発明を実施するための最良の形態】
【００１４】
以下本発明の一実施例を図１から図３を参照して説明する。図１は本発明の一実施例を説明するために誘導加熱調理器をシステムキッチンに組み込んだ状態の外観斜視図、図２は同じく調理用の鍋を置いた状態の誘導加熱調理器の上面図であり、図３は同じく調理用の容器が回転した状態の誘導加熱調理器の上面図である。
【００１５】
図において、１は誘導加熱調理器の本体で、詳細は省略するが、システムキッチン２の中に上面から落とし込まれて設置されている。
【００１６】
３は取手３ａを有する鍋等の容器で、被加熱物を入れて調理するものである。
【００１７】
４は耐熱ガラス等からなるトッププレートで、プレート枠５で囲まれ本体１の上面に設けられ、前記した鍋３を載置するものである。
【００１８】
６は加熱部で、トッププレート４の下方で前側左右に略水平に二個、中央後部に一個配置され、鍋３を誘導加熱又は電熱加熱する。そして、一般的に前側左右の加熱部６は煮物や揚げ物等の調理に使用されるもので、その最大出力は２.５ＫＷ〜３.０ＫＷ、中央後部の加熱出力は保温や煮込み等の調理に使用されるもので、その最大出力は１.２ＫＷ 〜
１.４ＫＷ 程度に設定されており、前記した鍋３もそれらの調理に応じた大きさや形状のものが使用される。
【００１９】
７はグリル部で、左側の加熱部６の下側に配置されている。グリル部７はシーズヒータのような独自の加熱部を備え、魚やピザ，グラタンなどを加熱調理できる。
【００２０】
８は操作部で、グリル部７の横に位置するように本体１の右側前面に配置され、加熱部６及びグリル部７の電源の入り切りや加熱の設定等を行うものである。なお、グリル部７と操作部８の左右の配置関係は逆でもかまわない。
【００２１】
９は火力調節スイッチ類で、本体１上面前部に配置され、調理中に正面の操作部８にて加熱の設定を行わなくても、上面にて簡単に操作できるように設けられたものである。
【００２２】
１０は吸気部で、本体１の右側後部に開口しており、本体１内の制御部ユニット等（図示せず）の冷却用の空気を吸気するものである。
【００２３】
１１は排気部で、本体の左側後部に開口しており、制御部ユニット等（図示せず）を冷却した空気やグリル部７からの排煙等を排気するものである。
【００２４】
１２は注意表示部で、調理に使用する鍋３の重さや形状等に対する制限やトッププレート４上に乗せてはいけない小物金属類等、使用方法や使用に関しての注意事項を記載したものである。そして、この注意表示部１２は、トッププレート４の後部左右のいずれか角部近傍で三つの加熱部６上に載置される鍋３及び鍋３の回転範囲の及ばない領域、すなわち、トッププレート４の全幅Ｗの約１／３以下に形成される自由領域１３内のいずれか一方又は両方に縦長に設けられている。
【００２５】
具体的には、図２及び図３に示す。本実施例におけるトッププレート４の全幅Ｗは約
６００mm、奥行きＬは４５０mm程度である。
【００２６】
前側右の加熱部６上に載置される鍋３の幅Ｘは、加熱部６の加熱コイルの直径に対して鍋３の底端部における曲面及び取手３ａを考慮して決める。従って取手３ａを含めて鍋３の幅Ｘは、最大で３００mm程度である。
【００２７】
また、前側左の加熱部６上に載置される鍋３の幅Ｙは、前側右の加熱部６上に載置される鍋３の幅Ｘと同様に考慮して決める。このとき、前側右の加熱部６と前側左の加熱部６との出力が同程度であれば前側左の加熱部６上に載置される鍋３の幅Ｙは、最大で３００mm程度である。もしも前側左の加熱部６の出力が前側右の加熱部６に対して小さい出力、例えば右側の出力を３.０ＫＷ、左側の出力を２.５ＫＷとした場合には、前側左の加熱部６上に載置される鍋３の幅Ｙは２６０mm程度である。
【００２８】
そして、後部中央に載置される鍋や保温用の容器である鍋３の幅Ｚも、前側左右の加熱部６と同様に考慮して、取手３ａを含めて２００mm程度である。
【００２９】
従って、全幅Ｗ６００mmのトッププレート４における後部左右のいずれか角部近傍の約１／３以下の幅Ｈは２００mm以内である。この幅Ｈは、後部中央の加熱部６上に載置される鍋３が、図３に示すように幾分回転してもその範囲が及ばない自由領域１３となる。
【００３０】
この自由領域１３内に使用方法や使用に関しての注意事項を記載した注意表示部１２が縦長に設けられる。なお、この注意表示部１２は幅５０mm，長さ１８０mm程度であれば十分に注意事項が記載できる。次に注意表示部１２を縦長に設ける点について説明する。
【００３１】
注意表示部１２が設けられるトッププレート４は、熱に強い結晶化ガラスを用い、それに印刷される注意表示部１２もガラス成分を備えた特殊なインクを用いる。この構成は、加熱部６が１００℃以上の高温となり、熱膨張をできるだけ抑えた素材でないとプレートを平面に維持できないためである。
【００３２】
このような注意表示部の領域を横長に設けると、改行が少ない反面、領域内に無印刷領域が広くなる。前述の特殊なインクを用いて横長の無印刷領域が広い注意表示部では、ガラスの中に混入してしまった不純物が目立ち易くなる。
【００３３】
一方、縦長に注意表示部１２を設ければ、横長の印刷領域に対して、改行が増えて空白部を少なくでき、印刷領域においてガラス内の不純物が目立たなくなり、また表示内容が冗長にならず読み易い。そのため、横長よりも縦長に印刷領域を設けることで、使用時に使用者が見やすい注意表示部１２を、トッププレート４上に設けることができる。
【００３４】
次に、縦長の注意表示部１２における縦方向の長さについて説明する。まず、本実施例における誘導加熱調理器では、前側左右の加熱部６が誘導加熱部である。安全のため、鍋３を直径の約半分（約１１０mm）ほど加熱部６からずれると誘導加熱を停止する機能を有する。これは鍋３を誘導加熱させるために加熱コイルに供給された高周波電流を検出する検出手段（図示せず）を有していて、図示しない制御部が鍋３のずれによる高周波電流の増加を検知して、所定値以上に高周波電流が増加したときに、加熱コイルへの高周波電流の供給を停止することで実行される。
【００３５】
上述のように、前側の加熱部６を使用しているときに、トッププレート４上の加熱部６に鍋３が適切に載置されなくても、供給される高周波電流が所定値に増加するまでは制御部は加熱コイルに高周波電流を供給して、誘導加熱状態を維持する。実際には、トッププレート４には加熱部６の領域を示す案内表示があるため、１００mmもずれて載置することは考えにくい。
【００３６】
そこで、鍋３を加熱させながら少しずらして注意表示部１２を見ながら加熱することが可能であることから、通常の加熱中に鍋３の取手３ａが上からトッププレート４を見て重なる位置に注意表示部１２を設けてもよい。
【００３７】
具体的には、取手３ａ分（両手鍋の取手、約５０mm）ずらしても注意表示部１２を見ることができるので、注意表示部１２の幅が前側左右の加熱部６（の案内表示部）からプレート枠５までの幅以内で、縦長の注意表示部１２が、加熱部６とこの加熱部６の側方に配置されたプレート枠５との間が最短になる位置まで、少なくとも設けてもよい。鍋３の取手３ａがプレート枠５に対して最短距離の位置にある場合に限らず、奥側に位置したり手前（使用者）側に位置したりする場合にも、鍋３をずらす量が減るため、縦方向（使用者方向）に長く注意表示部１２を設けてもよい。図３では、トッププレート４上の左方点線で表示した注意表示部のように、加熱部６の側方にまで注意表示部１２を設けることができる。
【００３８】
なお、加熱部６は、トッププレート４の背面において、加熱コイルを冷却する冷却風路を必要とするため、本体内に設けられる。しかし、加熱部６の側方は、トッププレート４の下方に在って加熱コイルやその加熱コイルを制御するための電子基板、及びそれらを冷却するための冷却機構を収める本体の筐体（図示せず）から離れた部分となる。具体的には、本体の筐体からトッププレート４に沿って伸び、本実施例の誘導加熱調理器をシステムキッチン２の天板上で支えるフランジ部（図示せず）を背後に備える。そのため、本願実施例における注意表示部１２は、加熱部６からの熱的影響を受けずらい部分となる。
【００３９】
本発明は以上の構成よりなるもので、以下調理動作について簡単に説明する。
【００４０】
使用者が被調理物を入れた鍋３をトッププレート４の加熱部６上に載置し、操作部８又は火力調節スイッチ類９を操作して調理を開始する。これによって、加熱部６に高周波電流が流れて磁束を発生し、この磁束により鍋３に渦電流が流れ、鍋３自身が発熱して被調理物が加熱調理される。
【００４１】
調理中は、調理の種類によってさらに火力調節スイッチ類９を適宜操作し、それを表示部１４で確認しながら調理を進行させる。
【００４２】
やがて、調理が完了すると、操作部８等を操作して加熱部６への通電を止め、運転を中止する。
【００４３】
上記の調理に際し、使用者は調理に使用する鍋３の重さや形状等に制限を受ける場合があり、また、トッププレート４上に鍋３以外の小物等は乗せてはいけない等の制約があるため、注意表示部１２に目を通してそれらの事項を確認する必要がある。
【００４４】
この場合に、使用者は従来のように身体を本体の正面に被さるようにすることなく、本体１の左右又はそのいずれか一側で簡単に注意表示部１２を見ることができる。
【００４５】
また、注意表示部１２の文字が縦長であるため、目を上下するだけでよく、横長のものに比べて横に長く読んでいく必要がなくなり、非常に読みやすいものである。
【００４６】
さらに、鍋３の取手部３ａに注意表示部１２が隠れないように、トッププレート４の後部左右のいずれか角部近傍で、該トッププレート４の全幅Ｗの約１／３以下の自由領域
１３に縦長の注意表示部１２を設けたことにより、使用者は鍋３を動かすことなく、また調理を煩わせることなく、簡単に注意表示部１２を見ることができる。
【００４７】
従って、本発明によれば、使用者に調理の手を煩わせることなく、簡単に注意表示部
１２を見て安心して安全に調理ができる製品を提供することができる。
【図面の簡単な説明】
【００４８】
【図１】本発明の一実施例である誘導加熱調理器をシステムキッチンに組み込んだ状態の外観斜視図である。
【図２】図１で説明した誘導加熱調理器において、調理用の鍋を置いた状態の誘導加熱調理器の上面図である。
【図３】図１で説明した誘導加熱調理器において、調理用の容器が回転した誘導加熱調理器の上面図である。
【符号の説明】
【００４９】
１…本体、３…鍋、４…トッププレート、５…プレート枠、６…加熱部、１２…注意表示部、１３…自由領域。
【図１】
0004538403.tif 000002
【図２】
0004538403.tif 000003
【図３】
0004538403.tif 000004